(57)【要約】【課題】加熱圧着装置を用いて複数組の金属箔／樹脂フィルムの構造の長尺状積層体を同時、かつ連続的に製造する場合に、隣接する組の積層体が互いに局所的な貼り付きを起こさないようにさせる。【解決手段】加熱圧着装置を用いて、金属箔／樹脂フィルムからなる構造の長尺状積層体を複数組同時に製造する方法において、加熱圧着操作を、互いに隣接する組のそれぞれの樹脂フィルムの側端部の位置が重ならないように配置した状態にて実施する。【選択図】図３
2008030384.tif 000002
【特許請求の範囲】
【請求項１】
加熱圧着装置、該加熱圧着装置の前方に設けられた複数組の金属箔／樹脂フィルムからなる構造の長尺状積層体の製造に必要な複数の長尺状金属箔そして複数の長尺状樹脂フィルムを該加熱圧着装置に供給する複数の巻き出しロール、該加熱圧着装置での加熱圧着操作の終了後に生成した複数組の金属箔／樹脂フィルムからなる構造の長尺状積層体のそれぞれを巻き取る複数個の巻き取りロールからなる積層体製造装置を用いて、複数組の金属箔／樹脂フィルムからなる構造の長尺状積層体を同時に製造する方法において、上記加熱圧着操作を、厚み方向に互いに隣接する組のそれぞれの樹脂フィルムの側端部の位置が重ならないように配置した状態にて実施することを特徴とする製造方法。
【請求項２】
厚み方向に互いに隣接する組のそれぞれの樹脂フィルムの側端部の位置のずれが、一方の樹脂フィルムの側端部と他方の樹脂フィルムの側端部との相対距離として、０．５〜５ｍｍの範囲にある請求項１に記載の製造方法。
【請求項３】
金属箔／樹脂フィルムからなる構造の長尺状積層体を二組同時に製造する方法である請求項１もしくは２に記載の製造方法。
【請求項４】
厚み方向に隣接する組の金属箔同士が共に圧延銅箔である請求項１乃至３のうちのいずれかの項に記載の製造方法。
【請求項５】
長尺状樹脂フィルムが長尺状芳香族ポリイミドフィルムである請求項１乃至４のうちのいずれかの項に記載の製造方法。
【請求項６】
長尺状樹脂フィルムが、非熱圧着性芳香族ポリイミドフィルムとその片側表面に形成された熱圧着性芳香族ポリイミド層とを含む長尺状の熱圧着性多層ポリイミドフィルムである請求項１乃至５のうちのいずれかの項に記載の製造方法。
【請求項７】
加熱圧着装置が、ダブルベルトプレスである請求項１乃至６のうちのいずれかの項に記載の製造方法。
【請求項８】
複数組の金属箔／樹脂フィルムからなる構造の長尺状積層体であって、厚み方向に互いに隣接する組のそれぞれの樹脂フィルムの側端部の位置が重ならないような配置にある積層体。
【請求項９】
厚み方向に互いに隣接する組のそれぞれの樹脂フィルムの幅方向の側端部の位置のずれが、一方の樹脂フィルムの側端部と他方の樹脂フィルムの側端部との相対距離として、０．５〜５ｍｍの範囲にある請求項８に記載の積層体。
【請求項１０】
金属箔／樹脂フィルムからなる構造の長尺状積層体が二組積層されている請求項８もしくは９に記載の積層体。
【請求項１１】
隣接する組の金属箔同士が互いに隣接して配置され、その隣接して配置されている金属箔が共に圧延銅箔である請求項８乃至１０のうちのいずれかの項に記載の積層体。
【請求項１２】
長尺状樹脂フィルムが長尺状芳香族ポリイミドフィルムである請求項８乃至１１のうちのいずれかの項に記載の積層体。
【請求項１３】
長尺状樹脂フィルムが、非熱圧着性芳香族ポリイミドフィルムとその両側表面に形成された熱圧着性芳香族ポリイミド層とを含む長尺状の熱圧着性多層ポリイミドフィルムである請求項８乃至１２のうちのいずれかの項に記載の積層体。
【発明の詳細な説明】
【技術分野】
【０００１】
本発明は、複数組の金属箔／樹脂フィルムからなる構造の長尺状積層体を同時に製造する方法に関する。
【背景技術】
【０００２】
芳香族ポリイミドフィルムに代表される高耐熱性で熱圧着性を有する樹脂フィルムと銅箔に代表される高導電性金属箔とを積層熱圧着した積層体は、たとえば、各種電子部品のプリント配線基板の製造に利用されている。この積層体の代表的な構成としては、金属箔／樹脂フィルム／金属箔の構成の三層積層体および金属箔／樹脂フィルムの構成の二層積層体がある。後者の二層積層体は、その製造と使用の際の便宜を考慮して、通常は、樹脂フィルムの表面側（金属箔の側とは反対側表面）に離型性の表面を持つ離型フィルムが積層されている。
【０００３】
上記のような金属箔／樹脂フィルムの構造の積層体は、その積層体自体の製造の効率、そして積層体を利用するプリント配線基板などの各種部品の製造の効率を考慮して、長尺状積層体として製造するのが一般的である。このための方法としては、ロール状に巻かれた長尺状の金属箔と同じくロール状に巻かれた長尺状の樹脂フィルム、そして必要により、同じくロール状に巻かれた長尺状の離型フィルムのそれぞれを連続的に、上側ロールと下側ロールとを含む一対の加熱圧着装置に対して、互いに重ね合わせた状態で、あるいは加熱圧着装置の入口で重ね合わされるようにして供給し、次いで加熱圧着装置により積層圧着された長尺状の積層体を巻き取りロールにより巻き取る方法が一般的に利用されている。加熱圧着装置としては、上側ロールと下側ロールのそれぞれを単ロールとした従来タイプの加熱圧着装置、そして上側ドラムと下側ドラムのそれぞれを前方ドラムと後方ドラム、そして両ドラムの周囲をドラムと同期して回転するベルトから構成したダブルベルトプレスが代表的である。
【０００４】
上記のように、金属箔／樹脂フィルムからなる構造の積層体は、加熱圧着装置を用い、実際は金属箔／樹脂フィルムからなる構造の長尺状積層体として連続的に製造されるが、近年、金属箔／樹脂フィルムからなる構造の長尺状二層積層体の需要の増加に応じて、そしてまた、その製造コストの低減を図るために、二組もしくはそれ以上の複数組の積層体を同時に製造することが検討されている。
【０００５】
特許文献１には、ダブルベルトプレス装置に熱圧着性の多層ポリイミドフィルムと金属箔との二組以上を供給して、加圧下に熱圧着と冷却を行なうことにより多層ポリイミドフィルムと金属箔とを同時に貼り合わせることによって、二組以上のフレキシブル金属箔積層体を製造する方法が記載されている。
【０００６】
特許文献２には、ダブルベルトプレス装置を用いて外観が良好なフレキシブル金属箔積層体を安定的に製造する方法の記載があり、その記載中に、複数の長尺状金属箔／樹脂フィルム積層体を同時に製造することが可能であることの記載がある。また、ダブルベルトプレス装置の具体的構成の記載もある。
【特許文献１】特開２００１−２７００３９号公報
【特許文献２】特開２００５−３０６００２号公報
【０００７】
一方、近年の各種電子部品の小型化への要求に答えて、積層体を構成する金属箔と樹脂フィルムの双方を薄膜化して、積層体の薄膜化を図る動向が一般的になっている。
【発明の開示】
【発明が解決しようとする課題】
【０００８】
本発明者は、上記の薄膜積層体の近年の需要の動向を考慮して、これまでに利用されている加熱圧着装置を用いて複数組の金属箔／樹脂フィルムからなる構造の長尺状積層体を同時に製造する技術の検討を行なった。
【０００９】
その検討の過程で、本発明者は、一般的な加熱圧着装置を用いて金属箔／樹脂フィルムの構成の長尺状積層体の複数組を同時に製造した場合に、加熱圧着操作の実施の際に厚み方向に互いに隣接していた金属箔同士、特に圧延銅箔同士がそれぞれの両側端部近傍にて噛み込み等による剥離（分離）不良が発生し、各組の長尺状積層体を互いに分離しにくくさせる現象が発生することを見出した。
【００１０】
次に、本発明者の上記検討結果を、添付図面の図１を参照しながら説明する。
図１は、加熱圧着装置の一例であるダブルベルトプレスを用いて金属箔／樹脂フィルム／離型フィルムの構成の長尺状積層体を同時に二組を製造する過程で現われるダブルベルトプレスの上側ベルトと下側ベルト（ダブルベルトプレスの構成は公知であり、本明細書において後に詳しく述べる）、そして互いに積層された二組の金属箔／樹脂フィルム／離型フィルムの構成の長尺状積層体（離型フィルムは、その長尺状積層体の使用時に剥離される）の幅方向に沿った層構成を示す模式図である。すなわち、図１には、離型フィルム１ａ、樹脂フィルム２ａ、そして金属箔３ａの構成の上側長尺状積層体（離型フィルムは、その長尺状積層体の使用時に剥離される）４ａと、金属箔１ｂ、樹脂フィルム２ｂ、そして離型フィルム３ｂの構成の下側長尺状積層体（離型フィルムは、その長尺状積層体の使用時に剥離される）４ｂとが重ね合わされた積層体を形成し、その上下をダブルベルトプレス（図示なし）の上側ベルト５ａと下側ベルト５ｂで挟んだ状態が示されている。この積層体構造は、金属箔と樹脂シートとがダブルベルトプレスにて加熱圧着されて、冷却されて、その後に各長尺状積層体毎に互いに分離されるまで維持される。
【００１１】
図１は、金属箔と樹脂シートそして離型フィルムがダブルベルトプレスにて加熱圧着された状態の積層体の原理的な構造を示している。樹脂フィルム側端部の位置において、各積層体に局部的な強い圧力がかかり、その局部的な強い圧力が、中央部にて互いに接触し、重ねられた状態にある上側積層体の金属箔３ａと下側積層体の金属箔１ｂとの間の噛み込みが発生することが判明した。
【課題を解決するための手段】
【００１２】
上記の知見に基づいて、本発明者は、さらに検討を続けた結果、上記加熱圧着操作を、厚み方向に互いに隣接する組のそれぞれの樹脂フィルムの幅方向の側端部の位置を互いに少しずらして、それぞれの樹脂フィルムの側端部の位置が重ならないように配置した状態にて実施することにより、互いに接触し、重ねられた状態にある上側積層体の金属箔と下側積層体の金属箔との間の噛み込みが回避できることを見出した。この好ましい現象は、樹脂フィルムの側端部の位置が重ならないように配置した状態にて加熱圧着操作を実施すると、金属箔間に局所的に掛る圧力が分散され、各積層体への圧力の不均一性が緩和されることによるものと理解される。
【００１３】
従って、本発明は、加熱圧着装置、該加熱圧着装置の前方に設けられた複数組の金属箔／樹脂フィルムからなる構造の長尺状積層体の製造に必要な複数の長尺状金属箔そして複数の長尺状樹脂フィルム（そして必要により、さらに複数の長尺状離型フィルム）を該加熱圧着装置に供給する複数の巻き出しロール、該加熱圧着装置での加熱圧着操作の終了後に生成した複数組の金属箔／樹脂フィルムからなる構造の長尺状積層体のそれぞれを巻き取る複数個の巻き取りロールからなる積層体製造装置を用いて、複数組の金属箔／樹脂フィルムからなる構造の長尺状積層体を同時に製造する方法において、上記加熱圧着操作を、厚み方向に互いに隣接する組のそれぞれの樹脂フィルムの側端部の位置が重ならないように配置した状態にて実施することを特徴とする製造方法にある。
【００１４】
本発明はまた、複数組の金属箔／樹脂フィルムからなる構造の長尺状積層体であって、厚み方向に互いに隣接する組のそれぞれの樹脂フィルムの側端部の位置が重ならないような配置にある積層体にもある。
【発明の効果】
【００１５】
加熱圧着装置、該加熱圧着装置の前方に設けられた複数組の金属箔／樹脂フィルムからなる構造の長尺状積層体の製造に必要な複数の長尺状金属箔そして複数の長尺状樹脂フィルム（そして必要によりさらに複数の長尺状離型フィルム）を該加熱圧着装置に供給する複数の巻き出しロール、該加熱圧着装置での加熱圧着操作の終了後に生成した複数組の金属箔／樹脂フィルムからなる構造の長尺状積層体のそれぞれを巻き取る複数個の巻き取りロールからなる積層体製造装置を用いて、複数組の金属箔／樹脂フィルムからなる構造の長尺状積層体を同時に製造する方法において、本発明の改良方法を用いることにより、上側積層体の金属箔と下側積層体の金属箔とが互いに接触し、重ねられた状態にある場合には、それらの間の噛み込みの発生が回避でき、重ねられた積層体の分離がしやすくなる。本発明では、隣接する金属箔が共に圧延銅箔同士である場合に特に効果が大きい。
【発明を実施するための最良の形態】
【００１６】
本発明の好ましい態様を次に記載する。
（１）厚み方向に互いに隣接する組のそれぞれの樹脂フィルムの側端部の位置のずれが、一方の樹脂フィルムの側端部と他方の樹脂フィルムの側端部との相対距離として、０．５〜５ｍｍ（さらに好ましくは１〜３ｍｍ）の範囲にある。
（２）同時に製造される金属箔／樹脂フィルムからなる構造の長尺状積層体が二組である。
（３）複数組の積層体の金属箔が互いに隣接して配置される場合において、金属箔が共に圧延銅箔である。
（４）長尺状樹脂フィルムが長尺状芳香族ポリイミドフィルムである。
（５）長尺状樹脂フィルムが、非熱圧着性芳香族ポリイミドフィルムとその片側表面に形成された熱圧着性芳香族ポリイミド層とを含む長尺状の熱圧着性多層ポリイミドフィルムである。
（６）加熱圧着装置が、ダブルベルトプレスである。
【００１７】
次に本発明の複数組の金属箔／樹脂フィルム構造の長尺状積層体の製造方法を、添付図面の図２を参照しながら説明する。なお、図２では、金属箔として銅箔を用いて、金属箔／樹脂フィルム／離型フィルム構造の長尺状積層体を二組同時に製造する方法を代表例として説明する。
【００１８】
図２は、複数組の銅箔／樹脂フィルム／離型フィルムからなる構造の長尺状積層体の製造方法を、公知のダブルベルトプレスを用いて実施する場合を説明するための図面である。すなわち、図２では、銅箔／樹脂フィルム／離型フィルムからなる構成の長尺状積層体の二組をダブルベルトプレスを用いて、同時にかつ連続的に製造する方法が示されている。
【００１９】
図２において、ダブルベルトプレス１１は、一対の前方上側ドラム１２ａと前方下側ドラム１２ｂそして一対の後方上側ドラム１３ａと後方下側ドラム１３ｂ、そして更に、二個の上側ドラムの組と二個の下側ドラムの組のそれぞれの周囲に張り渡されたベルト１４ａ、１４ｂから構成されている。図２のダブルベルトプレス１１では、二個の前方ドラム１２ａ、１２ｂが加熱ドラムであり、二個の後方ドラム１３ａ、１３ｂが冷却ドラムである。図２のダブルベルトプレスでは、積層体への加圧を確実に実施するためにドラムとは別に加圧装置が設けられている。この加圧装置は、上下に設けられた加熱加圧具１５ａ、１５ｂから構成されており、ダブルベルトプレス内を上下のベルト１４ａ、１４ｂにより挟まれて搬送される積層体に対して上下の加熱加圧具１５ａ、１５ｂの互いの接近により圧力を付与するように構成されている。図２のダブルベルトプレスではさらに、加圧冷却装置１６ａ、１６ｂが加圧装置の後方に備えられており、高温にて加圧処理が施された積層体を冷却するようにしている。
【００２０】
ダブルベルトプレス１１の前方には、一組の離型フィルム／樹脂フィルム／銅箔構成の長尺状積層体を製造するための、離型フィルム２１ａ、樹脂フィルム２２ａ、そして銅箔２３ａがそれぞれ巻かれている、離型フィルムロール３１ａ、樹脂フィルムロール３２ａ、そして銅箔ロール３３ａが配置され、さらに他の一組の銅箔／樹脂フィルム／離型フィルム銅箔構成の長尺状積層体を製造するための、銅箔２１ｂ、樹脂フィルム２２ｂ、そして離型フィルム２３ｂがそれぞれ巻かれている、銅箔ロール３１ｂ、樹脂フィルムロール３２ｂ、そして離型フィルムロール３３ｂが配置されている。
【００２１】
ダブルベルトプレス１１の後方には、製造された一組の離型フィルム／樹脂フィルム／銅箔構成の長尺状積層体４１ａを巻き取るための巻き取りロール５１ａが補助ロール５２ａを介して配置されており、さらに製造された他の一組の銅箔／樹脂フィルム／離型フィルム構成の長尺状積層体４１ｂを巻き取るための巻き取りロール５１ｂが補助ロール５２ｂを介して配置されている。
【００２２】
図２において、例えば、銅箔２３ａは電解銅箔であって、樹脂フィルム２２ａは、熱圧着性多層芳香族ポリイミドフィルムであり、銅箔２１ｂは圧延銅箔であって、樹脂フィルム２２ｂは、熱圧着性多層芳香族ポリイミドフィルムとする。すなわち、２３ａの銅箔と２１ｂの銅箔とが、一方の銅箔が電解銅箔であって、他方の銅箔が圧延銅箔であるように組合わせることが好ましい。このような組合わせにより、２３ａの銅箔と２１ｂの銅箔との間の噛み込みによる相互の接着（離脱困難な状態）の発生を低減できるという利点がある。あるいは、銅箔の全て、すなわち、銅箔２３ａと銅箔２１ｂを圧延銅箔とすることも有利である。ただし、このような金属箔の特定の組合わせ配置は本発明の製造方法においては必須ではない。
【００２３】
電解銅箔および圧延銅箔は共に市販されており、目的に応じて任意の厚みの電解銅箔と圧延銅箔を製造業者から入手して本発明の積層体の製造に用いることができる。
【００２４】
また、金属箔は銅箔に限定されるものではなく、アルミ箔などの各種の金属箔（特に導電性の金属箔）を目的に応じて用いることができる。そして、銅箔などの金属箔として、ポリイミド、エポキシ樹脂などの熱圧着性或は接着性の樹脂被覆層を表面に有する金属箔を用いることができる。これらの樹脂被覆層を表面に有する金属箔は、通常、その表面の樹脂被覆層が樹脂フィルムと対面するようにして配置して用いる。
【００２５】
熱圧着性多層芳香族ポリイミドフィルムは、非熱圧着性芳香族ポリイミドフィルムとその一方もしくは両方の表面に形成された熱圧着性芳香族ポリイミド層とからなるフィルムであって、例えば、宇部興産株式会社から市販されており、容易に入手できる。熱圧着性多層芳香族ポリイミドフィルムについての詳しい記載は、前述の特許文献１に見られる。
【００２６】
前述のように、金属箔（銅箔）／樹脂フィルムの構成の二層積層体を製造する際に、樹脂フィルムの表面側に離型フィルムを配置することは一般的に利用されている方法であり、そのような方法に用いられる離型フィルムは既に知られている。すなわち、離型フィルムとしては、耐熱性が高く、かつ離型性が良い柔軟な材料が一般的に用いられている。離型フィルムの材料としては、非熱圧着性の耐熱性芳香族ポリイミド、フッ素樹脂、あるいはシリコーン樹脂などが一般的に用いられる。
【００２７】
なお、図２に関する説明では、樹脂フィルムとして熱圧着性多層芳香族ポリイミドフィルムを用いた例をとり挙げたが、樹脂フィルムは、加熱条件下で金属箔と圧着可能な樹脂フィルムであれば特に限定はない。目的に応じて使用することが可能な樹脂フィルムとしては、単層の熱圧着性芳香族ポリイミドフィルム、熱圧着性ポリエステルフィルム、熱圧着性ビニルエステルフィルム、熱圧着性フッ素樹脂フィルムなどを挙げることができる。
【００２８】
図２に示したダブルベルトプレスを用いて本発明の長尺状積層体を製造する方法を次に説明する。
【００２９】
長尺状樹脂フィルム２２ａ、２２ｂ、長尺状銅箔２３ａ、２１ｂ、そして長尺状離型フィルム２１ａ、２３ｂは、それぞれのロールから巻き出されダブルベルトプレス１１の一対の前方加熱ドラム１２ａ、１２ｂの間にベルト１４ａ、１４ｂにより送り込まれる。樹脂フィルムと銅箔は、送り込まれた上下関係にて、前方ドラム１２ａ、１２ｂにより積層されて加熱され、さらにベルト１４ａ、１４ｂに挟まれた状態にて、そのまま後方ドラム１３ａ、１３ｂに向かって搬送される。そして、その搬送の途中で、加熱加圧具１５ａ、１５ｂにより熱圧着処理が施され、その後、加圧冷却装置１６ａ、１６ｂにより冷却される。積層体はさらに後方に搬送され、後方ドラム１３ａ、１３ｂを通過した後、補助ロール５２ｂの位置にて、上側長尺状積層体４１ａ（離型フィルム２１ａ／樹脂フィルム２２ａ／銅箔２３ａの構成を持つ積層体）と下側長尺状積層体４１ｂ（銅箔２１ｂ／樹脂フィルム２２ｂ／離型フィルム２３ｂの構成を持つ積層体）とに分離される。
【００３０】
分離される前の上側長尺状積層体４１ａと下側長尺状積層体４１ｂとの積層体の構成を図３に示す。この積層体は、圧延銅箔２３ａと圧延銅箔２１ｂとが接触した状態で積層されている。
【００３１】
上側長尺状積層体４１ａは、ついで、補助ロール５２ａを介して巻き取りロール５１ａに巻き取られる。同様に、下側長尺状積層体４１ｂは、ついで、補助ロール５２ｂを介して巻き取りロール５１ｂに巻き取られる。
【００３２】
なお、ダブルベルトプレスを用いる複数組の長尺状銅箔／樹脂フィルム積層体の製造に際してのダブルベルトプレスの種々の形態や改良、そしてダブルベルトプレスを用いての積層体の製造条件については、前掲の特許文献１と特許文献２の記載を参考にすることができる。
【００３３】
また、図３の説明では、上側長尺状積層体４１ａと下側長尺状積層体４１ｂとは、互いに銅箔２３ａと銅箔２１ｂとが接触した状態で積層している構成を示したが、これとは逆に、それぞれの積層体の離型フィルムと銅箔の位置を入れ替えた構成であってもよい。
【００３４】
次に、本発明の特徴的な要件である長尺状金属箔と長尺状樹脂フィルムとの幅方向（長尺状シートの長さ方向に直角な方向）の積層条件を図３を用いて説明する。
【００３５】
図３は、図２で説明した銅箔／樹脂フィルム／離型フィルムからなる構成の長尺状積層体の二組が積層されて形成された本発明の積層体（すなわち、二組の長尺状積層体が互いに分離される前に現われる積層体）に従う構成を示す模式図である。すなわち、積層体は、離型フィルム２１ａ、樹脂フィルム２２ａ、そして銅箔２３ａとからなる上側積層体４１ａと銅箔２１ｂ、樹脂フィルム２２ｂ、そして離型フィルム２３ｂとからなる下側積層体４１ｂの二組の積層体から構成されている。そして、上側積層体４１ａの樹脂フィルム２２ａと下側積層体４１ｂの樹脂フィルム２２ｂとは、それらの幅方向の位置が互いにずらされて、それぞれの樹脂フィルムの側端部の位置が重ならないように配置した状態にある。樹脂フィルム２２ａの側端部と樹脂フィルム２２ｂ側端部とのずらしの距離（互いに隣接する組のそれぞれの樹脂フィルムの幅方向の位置のずれが、一方の樹脂フィルムの側端部と他方の樹脂フィルムの側端部との相対距離）は、０．５〜５ｍｍの範囲にあることが好ましく、１〜３ｍｍの範囲にあることが特に好ましい。
【００３６】
次に、銅箔／樹脂フィルム／離型フィルムからなる構成の長尺状積層体の三組を同時に連続的に製造する場合の本発明に従う積層体の構成を図４により説明する。
【００３７】
図４は、図３で説明した長尺状積層体の二組が積層されて形成された積層体に更に一組の長尺状積層体が下側に積層された積層体の構成を示す合計三組の積層体からなる積層体の模式図である。すなわち、図４の積層体は、離型フィルム２１ａ、樹脂フィルム２２ａ、そして銅箔２３ａとからなる上側積層体４１ａと銅箔２１ｂ、樹脂フィルム２２ｂ、そして離型フィルム２３ｂとからなる中間積層体４１ｂ、そして銅箔２１ｃ、樹脂フィルム２２ｃ、そして離型フィルム２３ｃとからなる下側積層体４１ｃの三組の積層体から構成されている。そして、上側積層体４１ａの樹脂フィルム２２ａと中間積層体４１ｂの樹脂フィルム２２ｂ、そして下側積層体４１ｃの樹脂フィルム２２ｃとは、それらの幅方向の位置が互いにずらされて、それぞれの樹脂フィルムの側端部の位置が重ならないように配置した状態にある。ただし、樹脂フィルム２２ａと樹脂フィルム２２ｃとの関係においては幅方向の位置は必ずしもずれていなくてもよい。樹脂フィルム２２ａの側端部と樹脂フィルム２２ｂ側端部とのずらしの距離（互いに隣接する組のそれぞれの樹脂フィルムの幅方向の位置のずれが、一方の樹脂フィルムの側端部と他方の樹脂フィルムの側端部との相対距離）、そして樹脂フィルム２２ｂの側端部と樹脂フィルム２２ｃの側端部とのずらしの距離はいずれも０．５〜５ｍｍの範囲にあることが好ましく、１〜３ｍｍの範囲にあることが特に好ましい。
【００３８】
上記の図４では、樹脂フィルム２２ｂを樹脂フィルム２２ａの左側に配置し、ついで樹脂フィルム２２ｃを樹脂フィルム２２ｂの更に左側に配置しているが、このような上側から順に下側へと一方の方向にずれる配置の代わりに、樹脂フィルム２２ｂを樹脂フィルム２２ａの右側に配置し、次に樹脂フィルム２２ｃを樹脂フィルム２２ｂの左側に配置するようなジグザグ型の配置を利用することもできる。
【００３９】
なお、図２では、本発明の長尺状積層体の製造方法を、ダブルベルトプレスを用いる方法として説明したが、本発明の長尺状積層体の製造方法は、上側ロールと下側ロールとを含む一対の加熱圧着装置（特に表面が弾性材料からなるロールを用いる加熱圧着装置）を含む公知の加熱圧着装置、あるいは公知の加熱圧着装置の変形もしくは改良からなる加熱圧着装置を用いて同様に実施することができることは勿論である。また、同時に製造する長尺状積層体は二組に限られることはなく、三組あるいは四組の同時製造も可能である。
【図面の簡単な説明】
【００４０】
【図１】ダブルベルトプレスを用いて金属箔／樹脂フィルム／離型フィルムの構成の長尺状積層体を同時に二組を製造する過程で現われるダブルベルトプレスの上側ベルトと下側ベルト、そして互いに積層された二組の金属箔／樹脂フィルム／離型フィルムの構成の長尺状積層体の幅方向に沿った層構成を示す模式図である。
【図２】本発明の複数組の金属箔／樹脂フィルム／離型フィルム構造の長尺状積層体の製造方法を説明するための図である。
【図３】図２で説明した長尺状積層体の二組が積層されて形成された本発明の積層体に従う構成を示す模式図である。
【図４】長尺状積層体の三組が積層されて形成された本発明の積層体に従う構成を示す模式図である。
【符号の説明】
【００４１】
１ａ  離型フィルム
１ｂ  金属箔
２ａ  樹脂フィルム
２ｂ  樹脂フィルム
３ａ  金属箔
３ｂ  離型フィルム
４ａ  長尺状積層体
４ｂ  長尺状積層体
５ａ  ベルト
５ｂ  ベルト
１１  ダブルベルトプレス
１２ａ  前方上側ドラム
１２ｂ  前方下側ドラム
１３ａ  後方上側ドラム
１３ｂ  後方下側ドラム
１５ａ  加熱加圧具
１５ｂ  加熱加圧具
１６ａ  加圧冷却装置
１６ｂ  加圧冷却装置
２１ａ  離型フィルム
２１ｂ  銅箔
２１ｃ  銅箔
２２ａ  樹脂フィルム（熱圧着性多層芳香族ポリイミドフィルム）
２２ｂ  樹脂フィルム（熱圧着性多層芳香族ポリイミドフィルム）
２２ｃ  樹脂フィルム（熱圧着性多層芳香族ポリイミドフィルム）
２３ａ  銅箔
２３ｂ  離型フィルム
２３ｃ  離型フィルム
３１ａ  離型フィルム巻き出しロール
３１ｂ  銅箔巻き出しロール
３２ａ  樹脂フィルム巻き出しロール
３２ｂ  樹脂フィルム巻き出しロール
３３ａ  銅箔巻き出しロール
３３ｂ  離型フィルム巻き出しロール
４１ａ  長尺状積層体
４１ｂ  長尺状積層体
４１ｃ  長尺状積層体
５１ａ  巻き取りロール
５１ｂ  巻き取りロール
５２ａ  補助ロール
５２ｂ  補助ロール
【図１】
2008030384.tif 000003
【図２】
2008030384.tif 000004
【図３】
2008030384.tif 000005
【図４】
2008030384.tif 000006